(57)【要約】  海洋において水産養殖動物を飼育するための装置は、長手方向にそれぞれを上に積み重ねた飼育囲い（３２）の少なくとも１つのスタック（３０）と、飼育囲い（３２）に連結されて、且つ飼育囲い（３２）が海流により長手軸の周りに回転するように配置されたブレード（３４）と、を備えている。流れにより生じる、長手軸の傾斜と組み合わさったこの回転は、強い流れの期間に、囲いの内側で動物を互いに対して回転させる。
2019523020.tif 000002
【特許請求の範囲】
【請求項１】
海洋において水産養殖動物を飼育するための装置であって、該装置（１）は、
長手方向にそれぞれを上に積み重ねた飼育囲い（３２）の少なくとも１つのスタック（３０）と、
前記飼育囲い（３２）に連結されて、且つ前記飼育囲い（３２）が海流により長手軸の周りに回転するように配置されたブレード（３４）と、
海底（８）に固定された構造物（２９）と、
１つまたは各々の前記スタック（３０）の前記構造物（２９）への回転リンク（５６）であって、１つまたは各々の前記スタック（３０）の長手軸の周りの前記構造物（２９）に対する回転を可能にした部材（５７）を備えた回転リンク（５６）と、
を備え、
１つまたは各々の前記スタック（３０）は、前記回転リンク（５６）により前記構造物（２９）から吊り下げられ、前記回転リンク（５６）は、１つまたは各々の前記スタック（３０）が、前記長手方向が垂直となる位置の周りに揺動することを可能にするように配置されている、装置。
【請求項２】
前記装置（１）は、前記ブレード（３４）を形成した海洋タービン（４４）を含んでいる、請求項１に記載の装置。
【請求項３】
前記海洋タービン（４４）は、前記スタック（３０）の長手方向の下端に配置された前記飼育囲い（３２）に接続されている、請求項２に記載の装置。
【請求項４】
前記海洋タービン（４４）は、拘束体（４８）または剛体締結具（５０）により、前記スタック（３０）の長手方向の下端に配置された前記飼育囲い（３２）に接続されている、請求項３に記載の装置。
【請求項５】
前記海洋タービン（４４）は、強固さ、または紫外線耐性、もしくは耐汚染性を改良するために提供された添加剤を含んだプラスチックから形成されている、請求項２から４のいずれか一項に記載の装置。
【請求項６】
前記ブレード（３４）は、前記飼育囲い（３２）に堅固に取り付けられ、且つ前記スタック（３０）に沿って長手方向に広がっている、請求項１に記載の装置。
【請求項７】
前記ブレード（３４）は一体となって、長手軸を伴った少なくとも１つのプロペラを形成している、請求項６に記載の装置。
【請求項８】
１つまたは各々の前記スタック（３０）は、長手方向に積み重ねられ且つ管状ネット（３８）内で滑る複数のプレート（３６）を含み、該プレート（３６）は、前記飼育囲い（３２）を形成している、請求項１から７のいずれか一項に記載の装置。
【請求項９】
前記飼育囲い（３２）は剛体のバスケットトラップである、請求項１から７のいずれか一項に記載の装置。
【請求項１０】
１つまたは各々の前記スタック（３０）はバラスト（５４）を含んでいる、請求項１から９のいずれか一項に記載の装置。
【請求項１１】
前記バラスト（５４）は、長手方向が垂直方向と共に、満潮と干潮とを離間した期間の中間において、３０°から６０°の間に含まれる角度（α）を形成するように寸法決めされている、請求項１０に記載の装置。
【請求項１２】
前記構造物（２９）はケーブル（２）、または筏（６０）、もしくは海底（８）に堅固に固定されたプラットフォーム（６２）を含み、１つまたは各々の前記スタック（３０）は、前記ケーブル（２）、または前記筏（６０）、もしくは前記プラットフォーム（６２）に接続されている、請求項１から１１のいずれか一項に記載の装置。
【請求項１３】
前記装置（１）は、前記構造物（２９）に並んで接続された複数のスタック（３０）を備え、２つの隣接したスタック（３０）の個々のブレード（５４）は、前記２つの隣接したスタック（３０）が、互いに反対の個々の回転方向に沿って、前記構造物（２９）に対して回転するように配置されている、請求項１から１２のいずれか一項に記載の装置。
【請求項１４】
１つまたは各々の前記飼育囲い（３２）は、１つの前記ブレード（３４）に関して、少なくとも１つの取外し可能な締結区画（５９）を備えている、請求項１から１３のいずれか一項に記載の装置。
【請求項１５】
前記締結区画（５９）は、前記飼育囲い（３２）の直接的な方向における回転のための、または間接的な方向における回転のための前記ブレード（３４）の搭載を選択的に可能にするように配置されている、請求項１４に記載の装置。
【発明の詳細な説明】
【技術分野】
【０００１】
本発明は全体的に、特に貝類、より具体的には牡蠣のような、水産養殖動物を海で飼育するための装置に関する。
【背景技術】
【０００２】
すべての牡蠣養殖国において、牡蠣は潮間帯に固定された基材上で、または容器内で飼育され、そのため、牡蠣は、飼育業績に損傷を与え得る気候的、生物的、または化学的危険に晒される。
【０００３】
約３０年前、沖合延縄養殖技術が登場した。そのような養殖において、牡蠣は定常的に沖合に浸漬され、安定した且つ健康的な環境状態から恩恵を受ける。それらは、特別な成長を経験する。これらは、特許文献１に開示されたタイプの、例えば日本の柔軟な提灯状のかご内で養殖される。
【０００４】
約１５年前に開発された、別の沖合養殖技術は、鋼のケージ内に格納された容器内で牡蠣を養殖することから成る。
【０００５】
さらに別の沖合養殖技術は、互いに積み重ねられて剛体の提灯状のかごを形成した、剛体のバスケットを使用することから成る。
【０００６】
これらの、先の２つの技術は、３つの大きな欠点を有する。
【０００７】
第１の欠点は体積であり、これは、容器／バスケットの体積が、輸送の際に圧縮不可能であり、養殖された牡蠣の体積の１０倍となるためである。
【０００８】
第２の欠点は、容器／バスケットを構成する格子の汚染である。メッシュは定期的に清掃されなければならず、メッシュが小さい場合、より頻繁に清掃されなければならない。小さいメッシュは、非常に小さい貝を養殖するために使用される。
【０００９】
第３の欠点は、容器／バスケットの重量である。これらは要求の厳しい環境状態下で使用されるため、非常に堅固でなければならない。
【００１０】
日本の柔軟な提灯状のかごは、むしろ多くの利点を備えている。それらが使用されないとき、それらは小さい体積を有する。ネットは使い捨てであり、小さいメッシュを有するネットが稚貝の養殖に使用される場合でも、ネットを清掃する必要がない。
【００１１】
その逆に、それらは、特に若い牡蠣に関して、並外れて速い成長速度をもたらし、これにより提灯状のかごはすぐに満たされ、同じトレイに配置された牡蠣は、すぐに塊になる。このことは、牡蠣をバラバラにして離間するために、非常に高頻度で介入する必要性を導き、これは大量生産との折り合いをつけるためには困難である。
【００１２】
日本の提灯状のかごを使用した、先行技術による養殖装置は、図１に示されている。この装置は、大綱とも称されるケーブル２を含み、ケーブルの端部４および６は、端部４および６に、ケーブル１４および１６により個々に接続されたバラスト１０、１２を使用して、海底８に係留されている。ケーブル１４および１６は、例えば約３０メートルの長さを有する。大綱２は、約１００メートルの長さを有する。
【００１３】
両端４および６に加えて通常の間隔である約６メートルおきに、ブイ１８がロープ２０を介して大綱２に接続されて配置されている。このことは、大綱を約１メートルの深さに、且つ海底８に対してほぼ平行に維持することを可能にしている。
【００１４】
日本の提灯状のかご２２は大綱２の下に吊り下げられ、一方で大綱に沿って一定の間隔で離間されている。
【００１５】
日本の提灯状のかご２２の各々は、ロープにより互いに接続された、一式の積み重なったトレイ２８から構成されている。牡蠣２９は、これらのトレイ上に載せられている。管状のネット２４は、トレイの端縁と結合し、牡蠣が１つのレベルから別のレベルへと移動することを防止している。アセンブリは、強い流れがない場合に、略垂直に延びた日本の提灯状のかご２２を形成し、各提灯状のかごは、その下部においてバラスト２６に接続されている。
【００１６】
牡蠣の成長のための、日本の提灯状のかごの有効性は、バラスト２６の使用に基づいている。このことは、海流があっても提灯状のかごを垂直に維持することを可能にしており、これにより海水がネットを通じて強制的に通過し、日本の提灯状のかごの内部に置かれた牡蠣のために、優れた補給を提供する。
【００１７】
その逆に、前述のとおり、トレイ上の動物間の間質性環境の汚染に加えて殻の重大な脆弱性により特徴づけられたこれらの状態の下で養殖された牡蠣に関して、過度の成長が観察され、維持作業および分離作業が正当な周期で実施されない場合、大量死を導くかもしれず、その作業周期は非常に高頻度（夏場で１５日前後）であり、これは、大量生産との関連から、技術的に非常に困難である。
【先行技術文献】
【特許文献】
【００１８】
【特許文献１】欧州特許出願公開第０  ６８２  ８６３号明細書
【発明の概要】
【発明が解決しようとする課題】
【００１９】
これに関連して、本発明は、前述の欠点を備えていない海洋飼育装置を提案することを目的としている。
【課題を解決するための手段】
【００２０】
この目的のために、本発明は、海洋において水産養殖動物を飼育するための装置であって、長手方向にそれぞれを上に積み重ねた飼育囲いの少なくとも１つのスタックと、飼育囲いに連結されて、且つ飼育囲いが海流により長手軸の周りに回転するように配置されたブレードと、を備えている。
【００２１】
ブレードは飼育囲いに連結されて、海流により飼育囲いを回転させる。
【００２２】
ブレードは、潮力の駆動を利用して、飼育囲いを回転させることを特に可能にしている。
【００２３】
実際に、海洋飼育設備は、水路、入り江、または河口のような比較的保護された領域に主として設置される。したがって、数か月にわたって導かれる潮からの流れに影響を受けることになる。流れの力は、満潮と干潮との間に、ゼロから最大まで変化する。流れがゼロになる転流時は、満潮時および干潮時に生じる。最も強い流れは、満潮と干潮とを区別する期間の中間にある。強い流れの期間中、通常は満潮と干潮とを区別する期間の３分の１の間、スタックは垂直に対して角度を形成する。この傾斜は、ブレードが流れに面し、これにより飼育囲いを回転させることを可能にする。さらに、水産養殖動物は、この傾斜のために、囲いの低い位置に集まる。これにより、回転のために、動物は、コンクリートミキサー内のボールのように、強い流れの期間全体の間に、互いに対して回転する。
【００２４】
残りの時間では、飼育囲いの傾斜は、水産養殖動物を移動させるためには小さすぎ、動物が食事をして成長することを可能にしている。
【００２５】
飼育装置は、個別にまたは任意の可能な技術的組み合わせにより考えられる、以下の１つ以上の特徴も備え得る。
・  装置は、ブレードを形成した海洋タービンを含んでいる。
・  海洋タービンは、スタックの長手方向の下端に配置された飼育囲いに接続されている。
・  海洋タービンは、拘束体または剛体締結具により、スタックの長手方向の下端に配置された飼育囲いに接続されている。
・  海洋タービンは、強固さ、または紫外線耐性、もしくは耐汚染性を改良するために提供された添加剤を含んだプラスチックから形成されている。
・  ブレードは、飼育囲いに堅固に取り付けられ、且つスタックに沿って長手方向に広がっている。
・  ブレードは一体となって、長手軸を伴った少なくとも１つのプロペラを形成している。
・  １つまたは各々のスタックは、長手方向に積み重ねられ且つ管状ネット内で滑る複数のプレートを含み、このプレートは、飼育囲いを形成している。
・  飼育囲いは剛体のバスケットトラップである。
・  １つまたは各々のスタックはバラストを含んでいる。
・  バラストは、長手方向が垂直方向と共に、満潮と干潮とを離間した期間の中間において、３０°から６０°の間に含まれる角度を形成するように寸法決めされている。
・  装置は、海底に固定された構造物と、１つまたは各々のスタックの構造物への回転接続部であって、１つまたは各々のスタックの長手軸の周りの構造物に対する回転を可能にした部材を備えた回転接続部と、を含んでいる。
・  １つまたは各々のスタックは、回転リンクにより構造物から吊り下げられ、回転リンクは、１つまたは各々のスタックが、長手方向が垂直となる位置の周りに揺動することを可能にするように配置されている。
・  構造物はケーブル、または筏、もしくは海底に堅固に固定されたプラットフォームを含み、１つまたは各々のスタックは、ケーブル、または筏、もしくはプラットフォームに接続されている。
・  装置は、構造物に並んで接続された複数のスタックを備え、２つの隣接したスタックの個々のブレードは、２つの隣接したスタックが、互いに反対の個々の回転方向に沿って、構造物に対して回転するように配置されている。
・  １つまたは各々の飼育囲いは、１つのブレードに関して、少なくとも１つの取外し可能な締結区画を備えている。
・  締結区画は、飼育囲いの直接的な方向における回転のための、または間接的な方向における回転のためのブレードの搭載を選択的に可能にするように配置されている。
【００２６】
本発明の他の特徴および利点は、添付図を参照して、情報のための非限定的な、以下に提供された詳細な記載から明らかになるだろう。
【図面の簡単な説明】
【００２７】
【図１】先行技術による飼育装置を概略的に示した図である。
【図２】本発明の第１実施形態による、飼育装置の一部を簡素化して概略的に示した図である。
【図３】図２に類似した図であり、強い流れの期間における飼育囲いのスタックの位置を示した図である。
【図４】図２および図３のスタックを備えた海洋タービンを示した斜視図である。
【図５】図２および図３の装置の下端のプレートに海洋タービンを締結するための方法を、簡素化して概略的に示した図である。
【図６】本発明の第２実施形態に関する飼育囲いのスタックの側面を示した図である。
【図７】本発明の第２実施形態の代替例を示した図である。
【図８】図６の飼育囲いのブレードの配置を示した図である。
【図９】図６の飼育囲いのブレードの配置を示したブロック線図である。
【図１０】本発明の第２実施形態による飼育装置の有利な代替例を示した図である。
【図１１】図１０の矢印ＸＩの傾斜角に沿った視点の図である。
【図１２】海底に固定され且つ囲いを吊り下げることを可能にした、他のタイプの構造物を概略的に示した図である。
【図１３】海底に固定され且つ囲いを吊り下げることを可能にした、他のタイプの構造物を概略的に示した図である。
【発明を実施するための形態】
【００２８】
本発明は、水産養殖動物を海で飼育するための装置に関する。これらの動物は、典型的に貝類、より具体的には牡蠣である。代替的に、貝類はアサリ、イガイのようなすべてのタイプの二枚貝、または他のタイプの貝類である。
【００２９】
それは海洋、すなわち深海において飼育するために提供される。この飼育は、海岸から離れた沖合において、または水路、河口、もしくは入り江において、または海洋と通じた池において、または他の任意の適切な場所において行われることが可能である。
【００３０】
潮流からの流れに当たる領域は、特に適している。
【００３１】
飼育装置１は、海底に固定される構造物２９を含んでいる。
【００３２】
構造物２９は、例えば海底に固定されたケーブル２を含み、それは例えば図１に示されたような、前述のものである。
【００３３】
代替的に、ケーブル２は、他の任意の適切なシステムにより、海底に固定されている。
【００３４】
この装置は、長手方向にそれぞれを上に積み重ねた、飼育囲い３２の少なくとも１つのスタック３０も含んでいる。図２の描写において、長手方向は垂直である。
【００３５】
この装置は、飼育囲い３２に連結されたブレード３４をさらに含み、このブレードは、飼育囲い３２が海流により長手軸の周りに回転するように設けられている。
【００３６】
図２から図５に示された第１実施形態において、飼育囲いのスタックは、柔軟な日本の提灯状のかごである。
【００３７】
したがって、装置は、長手方向にそれぞれを上に積み重ねたプレート３６を含んでいる。プレート３６は、管状ネット３８内において滑る。プレート３６は、飼育囲い３２を形成している。水産養殖動物４０はプレート上、各飼育囲い３２内に配置されている。管状ネット３８は各プレート３６の端縁に対して任意の手段により把持され、各囲い内側の動物４０を閉じ込めている。典型的に、各プレート３６は、ケーブル２からスタック３０を懸架するために設けられた、長手方向に配向されたロープ４２に固定されている。
【００３８】
第１実施形態によれば、この装置は、１つまたは各スタック３０に関して、ブレード３４を形成した海洋タービン４４を含んでいる。
【００３９】
ここで、海洋タービンは水力タービンを参照しており、海流からの動的エネルギを使用して、飼育囲い３２の回転動作へと動的エネルギを変換する。
【００４０】
海洋タービンは、任意の適切なタイプのものとし得る。
【００４１】
例えば、図２、図３、および図４に示されたように、海洋タービン４４は、ハブ４６、ハブ４６を取り囲んだリム４７、および各々がハブ４６からリム４７へと延びたブレード３４を含んでいる。ブレード３４の数、形状および表面は、後述される使用状態の下で、十分な回転駆動力を得るように選択されている。
【００４２】
海洋タービン４４は、通常はスタック３０の長手方向下端に配置された飼育囲いに接続されている。
【００４３】
換言すると、海洋タービン４４は、スタック内の最も下に配置されたプレート３６に接続されている。
【００４４】
図２、図３、および図４に示された例においては、海洋タービンは、拘束体４８により飼育囲いに接続されている。
【００４５】
このことは、ケーブルが、海洋タービン４４を下側の飼育囲い３２に接続していることを意味している。
【００４６】
有利には、ロープ４２の下端は、海洋タービン４４を下側の飼育囲い３２に接続している。
【００４７】
拘束体４８は、ハブ４６を下側の飼育囲いに接続している。
【００４８】
図５に示された代替的な実施形態においては、海洋タービン４４は、剛体締結具５０により下側の飼育囲い３２に接続されている。この剛体締結具は、例えばクリップである。
【００４９】
例えば、プレート３６は、海洋タービンのハブ４６の内側を切り抜いた、プレートの下に取り付けられた延長部５２を含んでいる。
【００５０】
海洋タービン４４は、長手方向に沿ってスタック３０の下に配置されている。換言すると、海洋タービンは、下側の飼育囲い３２の長手方向下側に配置されている。
【００５１】
海洋タービン４４は、通常は例えばポリプロピレンの射出プラスチック材料から形成されている。帆またはパラシュートのための帆布等の、例えば帆布のような可撓性材料から形成されたブレードも含み得る。これらの材料は有利に添加物を含み、強固さ、紫外線耐性、または耐汚染性（防汚効果）を改良している。
【００５２】
好適に、１つまたは各スタック３０はバラスト５４を含んでいる。バラスト５４は、例えば海洋タービンのハブ４６内に装着されている。例えば、バラスト５４は、鋼もしくは鉛製のリング、またはコンクリートブロックから形成されている。
【００５３】
この装置は、スタック３０を構造物２９に、ここではケーブル２に接続した回転リンク５６も含んでいる。回転リンク５６は、スタック３０が構造物２９に対して長手軸の周りに回転することを可能にした回転部材５７を含んでいる。
【００５４】
回転リンクは、任意の適切なタイプである。例えば、部材５７はスイベルまたは他の任意の等価な部材であり、スタック３０の回転を可能にしている。
【００５５】
リンク５６は、スタック３０が構造物２９から懸架され、図２および図３に示されたように、長手軸が垂直になる位置の周りに揺動することが可能であるように設計されている。
【００５６】
図２に示された例において、リンク５６は、ケーブル２に固定されたケーブル５８を備えている。回転部材５７は、ケーブル５８をスタック３０に、好適にロープ４２の上端に取り付けている。
【００５７】
前述のように、飼育装置１は、潮からの流れに当たる領域内に設置されるように設けられている。転流時、すなわち満潮時および干潮時において、潮流は弱くなる。したがって、飼育囲いのスタック３０は、その長手方向が、図２に示されたように略垂直になる配置を採用している。ハブ４６の軸、すなわち海洋タービン４４の軸は、略垂直である。この配置において、海洋タービンは回転しない。したがって、飼育囲いはほぼ静止している。これらの状態は、水産養殖動物４０が食事をして成長するためには好都合である。
【００５８】
これに対して、全体的に強い潮流の間、スタック３０は、図３に示されたように傾斜している。換言すると、長手方向は、垂直に対して角度αを形成する。この角度αは、潮流の強さおよびバラスト５４の重量に依存する。潮流は、図３において矢印Ｃにより示されている。
【００５９】
バラスト５４は、満潮と干潮とを区別した期間の中間において、長手方向が垂直に対して３０°から６０°の間の角度αを形成するように寸法決定されている。
【００６０】
換言すると、角度αは、潮流が最も強い期間において、３０°から６０°の間となる。
【００６１】
この角度は流れの強さ、したがって潮の強さ、したがって潮汐係数に依存し、各日の大潮（満潮）と小潮（干潮）との間の期間で変化する。バラスト５４の重量は、角度αが前述の範囲内に留まるように選択されており、２つの小潮の期間の間の十分な日数の間に回転して、飼育の性質（肥大、および最終成長段階等）に基づいた結果となる、期待された硬化を得ることを可能にしている。
【００６２】
バラストの存在が強制的でないことは、理解されるべきである。ある場合には、海洋タービン４４および／または飼育囲い３２のアセンブリ３０、または動物４０の重量は、所望の効果を得るために十分である。ブレード３４は、略水平の海流に関して、および３０°から６０°の間の角度αに関して、飼育囲い３２が海流Ｃにより長手軸の周りに回転するように配置されている。
【００６３】
ブレード３４の表面および傾斜角は、海流Ｃに対して特に調節されている。
【００６４】
図示された例において、飼育囲い３２は、長手軸の周りに回転するように互いに接続されている。それらは、通常はロープ４２により接続されている。
【００６５】
海洋タービン４４は、長手軸の周りに下側の飼育囲い３２を回転させる。下側の飼育囲いは、直上に配置された囲いを回転させ、スタック３０の最上に配置された囲い３２までを回転させる。回転リンク５６は、構造物２９に対する最上の飼育囲い３２の回転動作を可能にしている。
【００６６】
図３に示されたように、飼育囲い３２は水平に対して傾斜している。図示された例において、プレート３６は水平に対して角度αを形成している。
【００６７】
したがって、水産養殖動物は、各飼育囲い３２の低点に集合する。飼育囲いの回転のために、飼育された動物は、回転するプレートの低点に向かって連続的に転がり、且つ互いに対して回転する。
【００６８】
通常は、飼育装置が設置される領域における海流の力の観点から、そのような回転動作が、満潮と干潮とを区別する時間の少なくとも２５％から５０％において、理想的にその期間の３分の１の間で生じるように、ブレード３４は配置されている。
【００６９】
残りの時間の間は、傾斜、すなわち角度αは、水産養殖動物の動作を引き起こすことには小さすぎる。
【００７０】
そのような動作は、飼育囲い３２の自己浄化を生じさせる。その動作は、過成長すること、および互い対するにまたは飼育囲いへの動物の咬みつきによる穿孔を回避することを可能にした、水産養殖動物の殻の摩耗も生じさせる。
【００７１】
食事規制の努力が、殻の成長に向けて独占的に転用されるのではなく、蓄積にも貢献するので、このことは、動物の最終成長段階も生じさせる。
【００７２】
通常は、海洋飼育装置１は複数のスタック３０を含み、各スタックは、回転リンク５６により構造物２９に接続されている。各スタックは前述のとおり同一であり、それら独自の海洋タービン４４を備えている。図１に示したように、構造物２９がケーブル２を含んでいる場合、スタック３０は並んで固定され、ケーブル２に沿って一定間隔で離間されている。
【００７３】
本発明の第２実施形態が、図６から図１１を参照してここに記載されている。
【００７４】
第２実施形態と第１実施形態との間の差は、以下に概説したもののみである。同一の要素または同じ機能を発揮する要素は、同じ参照符号を使用して示されている。
【００７５】
第２実施形態において、飼育囲いは剛体のバスケットトラップである。スタック３０は日本の柔軟な提灯状のかごではなく、日本の剛体の提灯状のかごを構成している。各バスケットトラップは、メッシュで構成された１つまたは複数の壁を含み、水産養殖動物はバスケットの内側に入れられる。バスケット３２は、互いに堅固に固定されている。
【００７６】
この構成は、バスケットトラップ３２の側面を示した図９に図示されている。
【００７７】
第２実施形態において、ブレード３４は飼育囲い３２に堅固に取り付けられ、スタック３０に沿って長手方向に広がっている。
【００７８】
より具体的には、ブレード３４は、長手軸と共に少なくとも１つのプロペラを有利に形成している。プロペラは、図６に示されたように、スタック３０の周りに巻き付いている。
【００７９】
通常は、所与の飼育囲い３２は、少なくとも１つのブレード３４を担持している。図８および図９に示されたように、スタック３０内の直上の囲いおよび直下の囲いにより担持されたブレードは、互いに引っ張って配置され得る。
【００８０】
例えば、各ブレード３４は、周の８分の１を越えて延びており、これにより、ブレードはスタック内において８つの連続した囲いにより担持され、所与のピッチを伴って連続的なプロペラの回転を形成することを可能にしている。
【００８１】
好適に、４個から１０個の間の囲いが、プロペラの１ピッチまたは１回転を形成している。
【００８２】
有利には、ブレード３４は単一のプロペラを形成している。そのようなプロペラは、図６に示されている。この場合、各囲いは単一のブレード３４を担持している。
【００８３】
図７に示された代替的な実施形態において、ブレード３４は二重プロペラを形成している。二重プロペラは、互いに平行な２つのらせんネットを含んでいる。この場合、各囲い３２は２つのブレード３４を支持し、それらは通常は径方向の対向位置にある。
【００８４】
本発明の第２実施形態において、各飼育囲い３２は、通常は長手方向に直交した円形セクションを備えている。
【００８５】
第２実施形態において、各スタック３０は、本発明の第１実施形態に関して記載されたようなバラスト５４を含んでいる。
【００８６】
第２実施形態において、海流は、らせんプロペラに作用することによりスタック３０を駆動する。
【００８７】
プロペラが、スタックの全高にわたって延びている必要は必ずしもないことが、理解されるべきである。したがって、ある飼育囲い３２は、ブレード３４を備えていなくてもよい。プロペラは不連続であってもよく、ブレードを備えていない空間により分離された２つのセグメントを含み得る。
【００８８】
通常は、ブレード３４は取り外し可能であり、ブレード３４の数およびサイズを、周囲環境または所望の効果に適合させることが可能とされている。
【００８９】
したがって、各飼育囲い３２は、１つのブレード３４の取り外し可能な締結のために配置された、少なくとも１つの区画５９を含んでいる。区画５９は、例えばブレード３４を挟むために配置されている。代替的に、区画５９は、ネジまたは他の任意の手段により締結することを可能にしている。
【００９０】
例えばバスケットトラップ上に待機した複数の締結区画５９があり、これにより、１つまたは複数のプロペラを形成することを可能にしている。
【００９１】
締結区画５９は、直接のまたは間接の回転方向において、取外し可能なブレードを装着することを有利に可能にしており、これにより、同じバスケットトラップとともに、直接のまたは間接のらせん回転を伴った提灯状のかごを形成することを可能にしている。
【００９２】
プロペラの長さおよび幅は、所望の駆動力に基づいて選択されている。
【００９３】
前述のとおり、装置１は、構造物２９に並んで接続された複数のスタック３０を、通常は備えている。構造物２９に沿ってスタック３０を離間した空間は、各スタック３０の高さよりも全体的に小さい。より強い潮の間、各スタックは隣接したスタックと接触する危険がある。
【００９４】
スタック間の摩擦を回避するために、２つの隣接したスタック３０の個々のブレードは、それら２つの隣接したスタック３０が、互いに反対の個々の回転方向に沿って、構造物２９に対して回転するように配置されている。これは、図１０および図１１に示されている。したがって、例えば非常に強い潮の期間に接触した場合、スタック３０は歯車のように互いに反対に回転する。
【００９５】
代替的に、剛体のバスケットトラップから形成された飼育囲いのスタック３０は、らせんプロペラを形成したブレードを備え得るのではなく、本発明の第１実施形態に関連して記載されたタイプの海洋タービンを備え得る。
【００９６】
その逆に、日本の柔軟な提灯状のかごタイプのスタック３０は、海洋タービンを備え得るのではなく、本発明の第２実施形態のような、各飼育囲いに固定され且つ長手軸と共にプロペラを一体に形成したブレードを備え得る。この場合、ブレード３４は、有利にプレート３６に堅固に固定され、プレート３６は、互いに相対回転するように固定されている。
【００９７】
構造物２９は、前述のタイプのケーブル２を備えていなくてもよい。
【００９８】
代替的に、海底に固定された構造物２９は、図１２に示されたようなタイプの筏６０を備えている。筏は水面に浮かび、例えばバラスト１０、１２およびケーブル１４、１６を使用して、海底８に固定されている。１つまたは複数のスタック３０は、筏６０から吊り下げられている。
【００９９】
別の代替例によれば、構造物２９は、海底８に堅固に固定されたプラットフォーム６２を含んでいる。プラットフォーム６２は、剛体柱６４により固定されている。１つまたは複数のスタック３０は、プラットフォーム６２から吊り下げられている。
【０１００】
本発明は、過成長の事象を排除する一方で、貝類の均質な成長を可能にしている。移動に関連した摩耗のために、貝類の完全な形状および硬い殻を得ることを可能にしている。自己浄化事象および成長の遅延化は、病原体の作用および死後の死体の劣化の影響を大きく制限する。消費可能なサイズの動物において、そのことは、獲得可能な高い最終段階の速度を生じ、それに加えて、それらのトップカテゴリ（マーケットの最高の肉指標）にこれらの製品を分類する、非常に良好な形状、および殻品質、ならびに肉質を得ることが可能である。
【符号の説明】
【０１０１】
１  ・・・飼育装置
２  ・・・ケーブル
８  ・・・海底
１０、１２、２６  ・・・バラスト
１４、１６  ・・・ケーブル
１８  ・・・部位
２０  ・・・ロープ
２２  ・・・提灯状のかご
２４  ・・・ネット
２８  ・・・トレイ
２９  ・・・構造物
３０  ・・・スタック
３２  ・・・飼育囲い
３４  ・・・ブレード
３６  ・・・プレート
３８  ・・・管状ネット
４０  ・・・水産養殖動物
４２  ・・・ロープ
４４  ・・・海洋タービン
４６  ・・・ハブ
４７  ・・・リム
４８  ・・・拘束体
５０  ・・・剛体締結具
５２  ・・・延長部
５４  ・・・バラスト
５６  ・・・回転リンク
５７  ・・・回転部材
５８  ・・・ケーブル
５９  ・・・区画
６０  ・・・筏
６２  ・・・プラットフォーム
【図１】
2019523020.tif 000003
【図２】
2019523020.tif 000004
【図３】
2019523020.tif 000005
【図４】
2019523020.tif 000006
【図５】
2019523020.tif 000007
【図６】
2019523020.tif 000008
【図７】
2019523020.tif 000009
【図８】
2019523020.tif 000010
【図９】
2019523020.tif 000011
【図１０】
2019523020.tif 000012
【図１１】
2019523020.tif 000013
【図１２】
2019523020.tif 000014
【図１３】
2019523020.tif 000015
【国際調査報告】
2019523020.tif 000016
2019523020.tif 000017
2019523020.tif 000018
2019523020.tif 000019